(57)【要約】【課題】工事に伴って更新される予定の情報を容易に知らせることができるようにすることを目的とする。【解決手段】工事範囲情報生成部１１０は、工事内容を示す工事区分、工事対象となる対象機器を示す工事範囲および対象機器同士の接続関係を示す接続有無を含んだ工事範囲情報を生成する。主要作業情報生成部１２０は、工事範囲に対して行われる主要作業を作業パターン表１９３に基づいて特定し、工事範囲に対して行われる主要作業を示す主要作業情報を生成する。更新対象特定部１３０は、構成／設計情報１９５に含まれる情報のうち、主要作業情報１２１が示す主要作業に対応する更新対象の情報を更新対象表１９４に基づいて特定する。構成／設計情報表示部１４０は、構成／設計情報１９５を表示すると共に、更新対象の部分に“更新予定”であることを記す。【選択図】図１
2014106838.tif 000002
【特許請求の範囲】
【請求項１】
複数の機器を備える対象システムに対する作業毎に、当該作業を識別する作業識別子と、前記対象システムに関して異なる種類の情報を示す複数のシステム情報のうち当該作業が行われた場合に更新されるシステム情報を識別するシステム情報識別子と、を対応付けて記憶する更新対象情報記憶部と、
前記対象システムに対する工事で行われる一つの作業である一次作業を識別する作業識別子と、前記複数の機器のうち前記一次作業の作業対象となる一次機器を識別する機器識別子と、を記憶する作業情報記憶部と、
前記更新対象情報記憶部から、前記作業情報記憶部に記憶される前記一次作業の作業識別子と同じ作業識別子に対応付けられたシステム情報識別子を第一のシステム情報識別子として取得するシステム情報識別子取得部と、
前記作業情報記憶部に記憶される前記一次機器の機器識別子に基づいて、前記システム情報識別子取得部によって取得された前記第一のシステム情報識別子によって識別されるシステム情報のうち前記一次機器に関する部分が更新予定である旨の情報を出力する更新予定出力部と
を備えることを特徴とする更新予定出力装置。
【請求項２】
前記更新予定出力装置は、
前記対象システムに対する第一作業を識別する作業識別子と、前記対象システムに対する第二作業を識別する作業識別子と、を対応付けて記憶する作業パターン情報記憶部を備え、
前記作業情報記憶部は、前記一次作業の作業識別子と前記一次機器の機器識別子とに加えて、前記一次機器に対して前記一次作業が行われることに伴って作業対象となる二次機器を識別する機器識別子を記憶し、
前記更新予定出力装置は、
前記作業パターン情報記憶部から、前記作業情報記憶部に記憶される前記一次作業の作業識別子と同じ前記第一作業の作業識別子に対応付けられた第二作業の作業識別子、を取得する第二作業識別子取得部を備え、
前記システム情報識別子取得部は、前記更新対象情報記憶部から、前記第二作業識別子取得部によって取得された前記第二作業の作業識別子と同じ作業識別子に対応付けられたシステム情報識別子を第二のシステム情報識別子として取得し、
前記更新予定出力部は、前記作業情報記憶部に記憶された前記二次機器の機器識別子に基づいて、前記システム情報識別子取得部によって取得された前記第二のシステム情報識別子によって識別されるシステム情報のうち前記二次機器に関する部分が更新予定である旨の情報を出力する
ことを特徴とする請求項１記載の更新予定出力装置。
【請求項３】
前記更新予定出力装置は、
前記対象システムに対する工事の仕様に関する工事仕様ファイルであって、前記第一作業と、前記第二作業の候補となる一つ以上の第二作業候補と、を判断するための情報を含んだ工事仕様ファイル、を記憶する工事仕様ファイル記憶部と、
作業毎に、当該作業を識別する作業識別子と、当該作業の重要度を表す作業重要度と、を対応付けて記憶する作業重要度記憶部と、
前記作業パターン情報記憶部に、前記第一作業の作業識別子と、前記第二作業の作業識別子と、を対応付けて記憶する作業パターン生成部とを備え、
前記作業パターン生成部は、
前記工事仕様ファイル記憶部に記憶された工事仕様ファイルを表示することによって、前記第一作業の作業識別子と、一つ以上の第二作業候補それぞれの作業識別子と、の入力を促し、
入力された第二作業候補の作業識別子毎に、当該作業識別子と同じ作業識別子に対応付けられた作業重要度を前記作業重要度記憶部から取得し、
入力された第二作業候補の作業識別子毎に取得した作業重要度に基づいて、前記第二作業の作業識別子を特定し、
入力された前記第一作業の作業識別子と、特定した前記第二作業の作業識別子と、を対応付けて前記作業パターン情報記憶部に記憶する
ことを特徴とする請求項２記載の更新予定出力装置。
【請求項４】
前記更新予定出力装置は、
機器毎に、当該機器を識別する機器識別子と、当該機器に接続される機器を識別する機器識別子と、を対応付けて記憶する接続情報記憶部と、
作業対象となる複数の対象機器それぞれの機器識別子と、前記複数の対象機器の少なくともいずれかの対象機器に接続する接続先機器の機器識別子とを含むと共に、前記複数の対象機器それぞれの機器識別子のいずれかの機器識別子に対応付けて前記一次作業の作業識別子を含んだ複数の工事パターンを生成する工事パターン生成部と、
前記工事パターン生成部によって生成された複数の工事パターンのいずれかの工事パターンに基づいて、前記一次作業の作業識別子と、前記一次機器の機器識別子と、前記二次機器の機器識別子と、を前記作業情報記憶部に記憶する作業情報生成部とを備え、
前記工事パターン生成部は、
前記一次作業の作業識別子を取得し、
前記複数の対象機器それぞれの機器識別子を取得し、
前記複数の対象機器それぞれの機器識別子毎に、前記接続情報記憶部から当該機器識別子と同じ機器識別子に対応付けられた機器識別子を前記接続先機器の機器識別子として取得し、
前記複数の対象機器それぞれの機器識別子毎に、前記複数の工事パターンに含まれる一つの工事パターンとして、前記複数の対象機器それぞれの機器識別子と前記接続先機器の機器識別子とを含むと共に、前記複数の対象機器それぞれの機器識別子のうち当該機器識別子に対応付けて前記一次作業の作業識別子を含む工事パターンを生成する
ことを特徴とする請求項２または請求項３記載の更新予定出力装置。
【請求項５】
前記更新予定出力装置は、
前記対象システムが備える前記複数の機器それぞれの機器識別子を記憶する機器識別子記憶部と、
前記対象システムに対する工事の手順に関する工事手順ファイルであって、前記複数の対象機器それぞれの機器識別子を含んだ工事手順ファイルを記憶する工事手順ファイル記憶部とを備え、
前記工事パターン生成部は、
前記工事手順ファイル記憶部に記憶された前記工事手順ファイルから、前記機器識別子記憶部に記憶されたいずれかの機器識別子と一致する複数の文字列を前記複数の対象機器それぞれの機器識別子として取得する
ことを特徴とする請求項４記載の更新予定出力装置。
【請求項６】
前記更新予定出力装置は、
工事毎に、当該工事を識別する工事識別子と、当該工事で行われる一つの作業を識別する作業識別子と、を対応付けて記憶する作業識別子記憶部を備え、
前記工事パターン生成部は、
入力される工事識別子と同じ工事識別子に対応付けられた作業識別子を前記一次作業の作業識別子として前記作業識別子記憶部から取得する
ことを特徴とする請求項４または請求項５記載の更新予定出力装置。
【請求項７】
前記作業情報生成部は、
前記複数の工事パターンの工事パターン毎に、当該工事パターンに含まれる接続先機器の機器識別子に対応付けて前記第二作業の作業識別子を設定し、
前記複数の工事パターンのうち、前記複数の対象機器それぞれの機器識別子に対応付けて前記一次作業の作業識別子と前記第二作業の作業識別子とを含む工事パターンを選択し、
選択した工事パターンに含まれる前記一次作業の作業識別子を前記作業情報記憶部に記憶し、選択した工事パターンに含まれる機器識別子のうち前記一次作業の作業識別子に対応付けられた機器識別子を前記一次機器の機器識別子として前記作業情報記憶部に記憶し、選択した工事パターンに含まれる機器識別子のうち前記第二作業の作業識別子に対応付けられた機器識別子を前記二次機器の機器識別子として前記作業情報記憶部に記憶する
ことを特徴とする請求項４から請求項６いずれかに記載の更新予定出力装置。
【請求項８】
複数の機器を備える対象システムに対する複数の作業のうち、作業対象である機器を監視する必要がある監視対象作業、を識別する作業識別子を記憶する監視対象情報記憶部と、
前記作業情報記憶部に記憶される前記一次作業の作業識別子が監視対象作業の作業識別子として前記監視対象情報記憶部に記憶されているか否かを判定する監視要否判定部と、
前記監視要否判定部によって前記一次作業の作業識別子が監視対象作業の作業識別子として前記監視対象情報記憶部に記憶されていると判定された場合、前記作業情報記憶部に記憶される前記一次機器の機器識別子に基づいて、前記一次機器が監視対象の機器である旨の情報を出力する監視対象情報出力部と
を備えることを特徴とする請求項１から請求項７いずれかに記載の更新予定出力装置。
【請求項９】
複数の機器を備える対象システムに対する作業毎に、当該作業を識別する作業識別子と、当該作業に伴って記録される作業ログのログデータ量と、を対応付けて記憶するログデータ量記憶部と、
前記ログデータ量記憶部から、前記作業情報記憶部に記憶される前記一次作業の作業識別子と同じ作業識別子に対応付けられたログデータ量を取得するログデータ量取得部と、
前記作業情報記憶部に記憶される前記一次機器の機器識別子に基づいて、前記ログデータ量取得部によって取得されたログデータ量に相当する量の作業ログが前記一次機器に関する作業ログとして記録される旨の情報を出力するログデータ量出力部と
を備えることを特徴とする請求項１から請求項８いずれかに記載の更新予定出力装置。
【請求項１０】
複数の機器を備える対象システムに対する複数の作業のうち、作業対象である機器を監視する必要がある監視対象作業、を識別する作業識別子を記憶する監視対象情報記憶部と、
前記対象システムに対する工事で行われる一つの作業である一次作業を識別する作業識別子と、前記複数の機器のうち前記一次作業の作業対象となる一次機器を識別する機器識別子と、を記憶する作業情報記憶部と、
前記作業情報記憶部に記憶される前記一次作業の作業識別子が監視対象作業の作業識別子として前記監視対象情報記憶部に記憶されているか否かを判定する監視要否判定部と、
前記監視要否判定部によって前記一次作業の作業識別子が監視対象作業の作業識別子として前記監視対象情報記憶部に記憶されていると判定された場合、前記作業情報記憶部に記憶される前記一次機器の機器識別子に基づいて、前記一次機器が監視対象の機器である旨の情報を出力する監視対象情報出力部と
を備えることを特徴とする監視対象情報出力装置。
【請求項１１】
複数の機器を備える対象システムに対する作業毎に、当該作業を識別する作業識別子と、当該作業に伴って記録される作業ログのログデータ量と、を対応付けて記憶するログデータ量記憶部と、
前記対象システムに対する工事で行われる一つの作業である一次作業を識別する作業識別子と、前記複数の機器のうち前記一次作業の作業対象となる一次機器を識別する機器識別子と、を記憶する作業情報記憶部と、
前記ログデータ量記憶部から、前記作業情報記憶部に記憶される前記一次作業の作業識別子と同じ作業識別子に対応付けられたログデータ量を取得するログデータ量取得部と、
前記作業情報記憶部に記憶される前記一次機器の機器識別子に基づいて、前記ログデータ量取得部によって取得されたログデータ量に相当する量の作業ログが前記一次機器に関する作業ログとして記録される旨の情報を出力するログデータ量出力部と
を備えることを特徴とするログデータ量出力装置。
【請求項１２】
更新対象情報記憶部と、作業情報記憶部と、システム情報識別子取得部と、更新予定出力部とを備える更新予定出力装置を用いる更新予定出力方法であって、
前記更新対象情報記憶部は、複数の機器を備える対象システムに対する作業毎に、当該作業を識別する作業識別子と、前記対象システムに関して異なる種類の情報を示す複数のシステム情報のうち当該作業が行われた場合に更新されるシステム情報を識別するシステム情報識別子と、を対応付けて記憶する記憶部であり、
前記作業情報記憶部は、前記対象システムに対する工事で行われる一つの作業である一次作業を識別する作業識別子と、前記複数の機器のうち前記一次作業の作業対象となる一次機器を識別する機器識別子と、を記憶する記憶部であり、
前記システム情報識別子取得部が、前記更新対象情報記憶部から、前記作業情報記憶部に記憶される前記一次作業の作業識別子と同じ作業識別子に対応付けられたシステム情報を第一のシステム情報識別子として取得し、
前記更新予定出力部が、前記作業情報記憶部に記憶される前記一次機器の機器識別子に基づいて、前記システム情報識別子取得部によって取得された前記第一のシステム情報識別子によって識別されるシステム情報のうち前記一次機器に関する部分が更新予定である旨の情報を出力する
ことを特徴とする更新予定出力方法。
【請求項１３】
請求項１２記載の更新予定出力方法をコンピュータに実行させるための更新予定出力プログラム。
【発明の詳細な説明】
【技術分野】
【０００１】
本発明は、例えば、更新予定などの情報を出力する更新予定出力装置、監視対象情報出力装置、ログデータ量出力装置、更新予定出力方法および更新予定出力プログラムに関するものである。
【背景技術】
【０００２】
ネットワークの構成／設計情報を閲覧者に提供するシステムは、ネットワークの工事が行われる際のネットワークの構成情報の確認、またはネットワークの障害が発生した際のネットワークの設計情報の確認等に活用される。
ネットワークの構成／設計情報は、ネットワークシステムとは異なる管理用システムで管理される。このため、ネットワークを変更する工事が実施されて、工事に伴って構成／設計情報が更新された場合であっても、更新後の構成／設計情報は、管理用システムに登録されるまで、管理用システムに反映されない。
したがって、管理用システムは、更新後の構成／設計情報が反映されるまで、更新予定の情報に対して“更新予定”の印を表示する必要がある。
【０００３】
この“更新予定”の情報は工事の主要作業の種類に応じて決まる。主要作業とは、工事を構成する複数の作業のうち重要度が高い作業のことである。
例えば、作業者は、工事の手順書を参照し、工事を構成する複数の作業を判断し、複数の作業のうち最も重要度が高いものを主要作業として選択し、主要作業に応じて“更新予定”の情報を判断する。
このため、作業者が“更新予定”の情報を判断する場合、作業者の負荷が非常に高くなってしまう。
また、工事の手順書は自然言語を用いて非定型の様式で記載されているため、工事の手順書に基づいて自動的に“更新予定”の情報を判断することは困難である。
【０００４】
従来技術として、構成情報、設計情報および工事情報から主要作業の候補として複数の作業項目を自動で抽出する方法（例えば、特許文献１）が提案されているが、実現には至っていない。
【先行技術文献】
【特許文献】
【０００５】
【特許文献１】特開２００７−１２２５８７号公報
【発明の概要】
【発明が解決しようとする課題】
【０００６】
本発明は、例えば、工事に伴って更新される予定の情報を容易に知らせることができるようにすることを目的とする。
【課題を解決するための手段】
【０００７】
本発明の更新予定出力装置は、
複数の機器を備える対象システムに対する作業毎に、当該作業を識別する作業識別子と、前記対象システムに関して異なる種類の情報を示す複数のシステム情報のうち当該作業が行われた場合に更新されるシステム情報を識別するシステム情報識別子と、を対応付けて記憶する更新対象情報記憶部と、
前記対象システムに対する工事で行われる一つの作業である一次作業を識別する作業識別子と、前記複数の機器のうち前記一次作業の作業対象となる一次機器を識別する機器識別子と、を記憶する作業情報記憶部と、
前記更新対象情報記憶部から、前記作業情報記憶部に記憶される前記一次作業の作業識別子と同じ作業識別子に対応付けられたシステム情報識別子を第一のシステム情報識別子として取得するシステム情報識別子取得部と、
前記作業情報記憶部に記憶される前記一次機器の機器識別子に基づいて、前記システム情報識別子取得部によって取得された前記第一のシステム情報識別子によって識別されるシステム情報のうち前記一次機器に関する部分が更新予定である旨の情報を出力する更新予定出力部とを備える。
【発明の効果】
【０００８】
本発明によれば、例えば、工事に伴って更新される予定の情報を容易に知らせることができる。
【図面の簡単な説明】
【０００９】
【図１】実施の形態１における構成／設計情報表示装置１００の機能構成図。
【図２】実施の形態１における構成／設計情報表示処理を示すフローチャート。
【図３】実施の形態１における工事範囲情報生成処理（Ｓ１１０）を示すフローチャート。
【図４】実施の形態１における工事区分表１９１の一例を示す図。
【図５】実施の形態１における工事詳細手順書１９２の一例を示す図。
【図６】実施の形態１における工事内容の一例を表す図。
【図７】実施の形態１における工事範囲情報１１１の一例を示す図。
【図８】実施の形態１における主要作業情報生成処理（Ｓ１２０）を示すフローチャート。
【図９】実施の形態１における作業パターン表１９３の一例を示す図。
【図１０】実施の形態１における主要作業情報１２１の一例を示す図。
【図１１】実施の形態１における工事内容の一例を表す図。
【図１２】実施の形態１における更新対象特定処理（Ｓ１３０）を示すフローチャート。
【図１３】実施の形態１における更新対象表１９４の一例を示す図。
【図１４】実施の形態１における構成／設計情報表示画面１４１の一例を示す図。
【図１５】実施の形態１における作業パターン生成処理を示すフローチャート。
【図１６】実施の形態１における重要度情報１９７の一例を示す図。
【図１７】実施の形態１における二次対象機器に対する作業の一例を示す図。
【図１８】実施の形態１における作業パターン表１９３の一例を示す図。
【図１９】実施の形態１における構成／設計情報表示装置１００のハードウェア資源の一例を示す図。
【図２０】実施の形態２における構成／設計情報表示装置１００の機能構成図。
【図２１】実施の形態２における構成／設計情報表示処理を示すフローチャート。
【図２２】実施の形態２における工事パターン生成処理（Ｓ２１０）を示すフローチャート。
【図２３】実施の形態２における機器名一覧表２９１の一例を示す図。
【図２４】実施の形態２における工事範囲の対象機器の機器名を示す図。
【図２５】実施の形態２における機器接続情報２９２の一例を示す図。
【図２６】実施の形態２における工事パターン情報２１１の概要例を示す図。
【図２７】実施の形態２における工事パターン情報２１１の一例を示す図。
【図２８】実施の形態２における主要作業情報生成処理（Ｓ２２０）を示すフローチャート。
【図２９】実施の形態２における工事パターン情報２１１の一例を示す図。
【図３０】実施の形態３における構成／設計情報表示装置１００の機能構成図。
【図３１】実施の形態３における構成／設計情報表示処理を示すフローチャート。
【図３２】実施の形態３における更新予定表示画面２２１の一例を示す図。
【図３３】実施の形態４における構成／設計情報表示装置１００の機能構成図。
【図３４】実施の形態４における構成／設計情報表示処理を示すフローチャート。
【図３５】実施の形態４における監視対象特定処理（Ｓ２３０）を示すフローチャート。
【図３６】実施の形態４における障害監視項目リスト２９３の一例を示す図。
【図３７】実施の形態４における障害発生率表２９４の一例を示す図。
【図３８】実施の形態４における監視対象表示画面２４１の一例を示す図。
【図３９】実施の形態５における構成／設計情報表示装置１００の機能構成図。
【図４０】実施の形態５における構成／設計情報表示処理を示すフローチャート。
【図４１】実施の形態５におけるログデータ量特定処理（Ｓ２５０）を示すフローチャート。
【図４２】実施の形態５におけるログ分類項目リスト２９５の一例を示す図。
【図４３】実施の形態５におけるログデータ量表２９６の一例を示す図。
【図４４】実施の形態５におけるログデータ量表示画面２６１の一例を示す図。
【発明を実施するための形態】
【００１０】
実施の形態１．
工事に伴って更新される予定の情報を容易に知らせるための形態について説明する。
【００１１】
図１は、実施の形態１における構成／設計情報表示装置１００の機能構成図である。
実施の形態１における構成／設計情報表示装置１００の機能構成について、図１に基づいて説明する。
【００１２】
構成／設計情報表示装置１００（更新予定出力装置の一例）は、ネットワークシステムの構成／設計情報１９５を表示するコンピュータである。
ネットワークシステムの工事が行われる場合、構成／設計情報表示装置１００は、工事に伴って更新される構成／設計情報１９５の部分に“更新予定”であることを記す。
【００１３】
構成／設計情報表示装置１００は、工事範囲情報生成部１１０、主要作業情報生成部１２０、更新対象特定部１３０、構成／設計情報表示部１４０、作業パターン生成部１５０および装置記憶部１９０を備える。
【００１４】
以下に、構成／設計情報表示装置１００の各構成の概要について説明する。
工事範囲情報生成部１１０は、工事内容を示す「工事区分」、工事対象となる対象機器を示す「工事範囲」および対象機器同士の接続関係を示す「接続有無」を含んだ工事範囲情報１１１（図示省略）を生成する。
主要作業情報生成部１２０（第二作業識別子取得部、作業情報生成部の一例）は、後述する作業パターン表１９３に基づいて工事範囲に対する主要作業を特定し、工事範囲に対する主要作業を示す主要作業情報１２１（図示省略）を生成する。主要作業とは、工事を構成する作業のうち重要度が高い作業のことである。
更新対象特定部１３０（システム情報識別子取得部の一例）は、構成／設計情報１９５に含まれる情報のうち、主要作業情報１２１が示す主要作業に対応する更新対象の情報を、更新対象表１９４に基づいて特定する。更新対象表１９４については後述する。
構成／設計情報表示部１４０（更新予定出力部の一例）は、構成／設計情報１９５を表示すると共に、更新対象の部分に“更新予定”であることを記す。
作業パターン生成部１５０（作業パターン生成部の一例）は、作業毎に作業の重要度を示す重要度情報１９７に基づいて、作業パターン表１９３を生成する。
【００１５】
装置記憶部１９０は、構成／設計情報表示装置１００が使用するデータを記憶する。各データの内容については後述する。
例えば、装置記憶部１９０は、工事区分表１９１（作業識別子記憶部の一例）、工事詳細手順書１９２（工事手順ファイル記憶部の一例）および作業パターン表１９３（作業パターン情報記憶部の一例）を予め記憶する。工事詳細手順書１９２は、工事を識別する工事番号毎に装置記憶部１９０に記憶される。
装置記憶部１９０は、更新対象表１９４（更新対象情報記憶部の一例）と、構成／設計情報１９５（システム情報の一例）とを予め記憶する。
装置記憶部１９０は、工事仕様書１９６（工事仕様ファイル記憶部の一例）と、重要度情報１９７（作業重要度記憶部の一例）とを予め記憶する。
また、装置記憶部１９０は、工事範囲情報生成部１１０によって生成される工事範囲情報１１１（図示省略）と、主要作業情報生成部１２０によって生成される主要作業情報１２１（作業情報記憶部の一例）（図示省略）とを記憶する。
各データの内容については後述する。
【００１６】
図２は、実施の形態１における構成／設計情報表示処理を示すフローチャートである。
実施の形態１における構成／設計情報表示処理の概要について、図２に基づいて説明する。
【００１７】
Ｓ１１０において、工事範囲情報生成部１１０は、工事内容を示す工事区分、工事対象となる対象機器を示す工事範囲および対象機器同士の接続関係を示す接続有無を含んだ工事範囲情報１１１を生成する。Ｓ１１０の後、処理はＳ１２０に進む。
Ｓ１２０において、主要作業情報生成部１２０は、工事範囲に対して行われる主要作業を後述する作業パターン表１９３に基づいて特定し、工事範囲に対して行われる主要作業を示す主要作業情報１２１を生成する。主要作業とは、工事を構成する作業のうち重要度が高い作業のことである。Ｓ１２０の後、処理はＳ１３０に進む。
Ｓ１３０において、更新対象特定部１３０は、構成／設計情報１９５に含まれる情報のうち、主要作業情報１２１が示す主要作業に対応する更新対象の情報を、後述する更新対象表１９４に基づいて特定する。Ｓ１３０の後、処理はＳ１４０に進む。
Ｓ１４０において、構成／設計情報表示部１４０は、構成／設計情報１９５を表示すると共に、更新対象の部分に“更新予定”であることを記す。Ｓ１４０の後、構成／設計情報表示処理は終了する。
【００１８】
次に、Ｓ１１０からＳ１４０の詳細について説明する。
【００１９】
図３は、実施の形態１における工事範囲情報生成処理（Ｓ１１０）を示すフローチャートである。
実施の形態１における工事範囲情報生成処理（Ｓ１１０）（図２参照）について、図３に基づいて説明する。
工事範囲情報生成処理（Ｓ１１０）は、Ｓ１１１からＳ１１５の処理で構成される。
【００２０】
Ｓ１１１において、作業者は、キーボードまたはマウスなどの入力装置を用いて、工事を識別する工事番号を構成／設計情報表示装置１００に入力する。
Ｓ１１１の後、処理はＳ１１２に進む。
【００２１】
Ｓ１１２において、工事範囲情報生成部１１０は、Ｓ１１１で入力された工事番号と同じ番号に対応付けられた工事区分を工事区分表１９１から取得する。
例えば、Ｓ１１１で入力した工事番号が「ｘｘ−１２３」である場合、工事範囲情報生成部１１０は、図４に示す工事区分表１９１から工事区分「撤去」を取得する。
図４は、実施の形態１における工事区分表１９１の一例を示す図である。
工事区分表１９１は、工事を識別する「工事番号」と、工事の主要作業の作業名を示す「工事区分」とを対応付けた表である。
Ｓ１１２（図３参照）の後、処理はＳ１１３に進む。
【００２２】
Ｓ１１３において、工事範囲情報生成部１１０は、Ｓ１１１で入力した工事番号と同じ番号に対応付けられている工事詳細手順書１９２を装置記憶部１９０から取得し、取得した工事詳細手順書１９２をディスプレイに表示する。
工事詳細手順書１９２は、工事を行う日時、工事で行う作業の手順および各作業の内容など、工事の詳細な内容が記載された文書ファイルである。
例えば、工事範囲情報生成部１１０は、図５に示すような工事詳細手順書１９２を表示する。
【００２３】
図５は、実施の形態１における工事詳細手順書１９２の一例を示す図である。
例えば、工事詳細手順書１９２は、工事が行われる「日時」、工事を構成する各作業の「作業内容」および各作業に必要な「詳細情報」を対応付けた表形式のファイルである。
Ｓ１１３（図３参照）の後、処理はＳ１１４に進む。
【００２４】
Ｓ１１４において、作業者は、表示された工事詳細手順書１９２を参照して工事の内容を判断し、工事対象となる対象機器を示す「工事範囲」および対象機器同士の接続関係を示す「接続有無」を入力装置を用いて構成／設計情報表示装置１００に入力する。
【００２５】
例えば、作業者は、図５に示した工事詳細手順書１９２に基づいて、工事が図６に示すような内容であると判断する。
図６は、実施の形態１における工事内容の一例を表す図である。図６は、工事の主要作業がホスト３の撤去であり、ホスト３およびホスト２が工事対象となる対象機器であり、ホスト３とホスト２とが通信接続している、ことを表している。
但し、工事対象となる主要な対象機器は撤去されるホスト３であり、ホスト３の撤去に伴って工事対象となるホスト２は二次的な対象機器である。
以下、主要な対象機器を「一次対象機器」といい、二次的な対象機器のことを「二次対象機器」という。
この場合、作業者は、工事範囲として一次対象機器の機器名「ホスト３」と二次対象機器の機器名「ホスト２」とを構成／設計情報表示装置１００に入力すると共に、一次対象機器（ホスト３）と二次対象機器（ホスト２）との接続有無を示す情報「有り」を構成／設計情報表示装置１００に入力する。
Ｓ１１４（図３参照）の後、処理はＳ１１５に進む。
【００２６】
Ｓ１１５において、工事範囲情報生成部１１０は、Ｓ１１２で取得した工事区分と、Ｓ１１４で入力された工事範囲と、Ｓ１１４で入力された接続有無と、を含んだ工事範囲情報１１１を生成し、生成した工事範囲情報１１１を装置記憶部１９０に記憶する。
工事区分の情報が「撤去」であり、工事範囲の一次対象機器の機器名が「ホスト３」であり、工事範囲の二次対象機器の機器名が「ホスト２」であり、接続有無の情報が「有り」である場合、工事範囲情報生成部１１０は、図７に示すような工事範囲情報１１１を生成する。
図７は、実施の形態１における工事範囲情報１１１の一例を示す図である。図７の工事範囲情報１１１は、工事区分「撤去」、工事範囲の一次対象機器の機器名「ホスト３」、工事範囲の二次対象機器の機器名「ホスト２」および接続有無の情報「有り」を含んでいる。
Ｓ１１５（図３参照）の後、工事範囲情報生成処理（Ｓ１１０）は終了する。
【００２７】
図８は、実施の形態１における主要作業情報生成処理（Ｓ１２０）を示すフローチャートである。
実施の形態１における主要作業情報生成処理（Ｓ１２０）（図２参照）について、図８に基づいて説明する。
主要作業情報生成処理（Ｓ１２０）は、Ｓ１２１およびＳ１２２の処理で構成される。
【００２８】
Ｓ１２１において、主要作業情報生成部１２０は、一次対象機器に対して行う一次作業の作業名として工事範囲情報１１１から工事区分を取得すると共に、工事範囲情報１１１から接続有無の情報を取得する。
主要作業情報生成部１２０は、二次対象機器に対して行う二次作業の作業名として、取得した一次作業の作業名と接続有無の情報と同じ組み合わせに対応付けられた二次作業の作業名を作業パターン表１９３から取得する。
【００２９】
図９は、実施の形態１における作業パターン表１９３の一例を示す図である。
図９に示すように、作業パターン表１９３は、「一次作業」と「接続有無」と「二次作業」とを対応付けた表である。
「一次作業」は一次作業の作業名を示し、「接続有無」は接続有無の情報を示し、「二次作業は」二次作業の作業名を示す。
【００３０】
例えば、主要作業情報生成部１２０は、図７に示した工事範囲情報１１１から一次作業として工事区分「撤去」を取得すると共に、接続有無「有り」を取得する。
そして、主要作業情報生成部１２０は、図９に示す作業パターン表１９３から一次作業「撤去」と接続有無「有り」とに対応付けられた二次作業「設定変更」を取得する。
Ｓ１２１（図８参照）の後、Ｓ１２２に進む。
【００３１】
Ｓ１２２において、主要作業情報生成部１２０は、工事範囲情報１１１から一次対象機器の機器名と二次対象機器の機器名とを取得する。
主要作業情報生成部１２０は、一次対象機器の機器名と一次作業の作業名とを対応付けると共に、二次対象機器の機器名と二次作業の作業名とを対応付けて、主要作業情報１２１を生成する。主要作業情報生成部１２０は、生成した主要作業情報１２１を装置記憶部１９０に記憶する。
例えば、一次対象機器の機器名が「ホスト３」であり、一次作業の作業名が「撤去」であり、二次対象機器の機器名が「ホスト２」であり、二次作業の作業名が「設定変更」である場合、主要作業情報生成部１２０は、図１０に示すような主要作業情報１２１を生成する。
【００３２】
図１０は、実施の形態１における主要作業情報１２１の一例を示す図である。
図１０の主要作業情報１２１は、一次対象機器の機器名「ホスト３」に対応付けて、一次作業の作業名「撤去」をホスト３に対する主要作業として示している。
また、図１０の主要作業情報１２１は、二次対象機器の機器名「ホスト２」に対応付けて、二次作業の作業名「設定変更」をホスト２に対する主要作業として示している。
【００３３】
図１０の主要作業情報１２１の内容を図示すると図１１のようになる。
図１１は、実施の形態１における工事内容の一例を表す図である。図１１は、ホスト３およびホスト２が工事対象となる対象機器であり、ホスト３に対する主要作業が撤去であり、ホスト２に対する主要作業が設定変更である、ことを表している。
Ｓ１２２（図８参照）の後、主要作業情報生成処理（Ｓ１２０）は終了する。
【００３４】
図１２は、実施の形態１における更新対象特定処理（Ｓ１３０）を示すフローチャートである。
実施の形態１における更新対象特定処理（Ｓ１３０）（図２参照）について、図１２に基づいて説明する。
更新対象特定処理（Ｓ１３０）は、Ｓ１３１からＳ１３４の処理で構成される。
【００３５】
Ｓ１３１において、更新対象特定部１３０は、主要作業情報１２１から未選択の対象機器を一つ選択する。
例えば、更新対象特定部１３０は、図１０に示した主要作業情報１２１から対象機器「ホスト３」を選択する。
以下、Ｓ１３１で選択した対象機器を「選択機器」という。
Ｓ１３１の後、Ｓ１３２に進む。
【００３６】
Ｓ１３２において、更新対象特定部１３０は、Ｓ１３１で選択した選択機器に対応付けられた主要作業の作業名を主要作業情報１２１から取得する。
例えば、更新対象特定部１３０は、図１０に示した主要作業情報１２１から選択機器「ホスト３」に対応付けられた主要作業の作業名「撤去」を取得する。
Ｓ１３２の後、Ｓ１３３に進む。
【００３７】
Ｓ１３３において、更新対象特定部１３０は、更新対象表１９４に基づいて、Ｓ１３２で取得した主要作業の作業名に対応する更新対象の構成／設計情報１９５を特定する。
ここで、構成／設計情報１９５は、ネットワーク構成を表す構成情報、ネットワーク機器の設定パラメータを示すパラメータ情報およびネットワーク機器に関する関連書類を含むものとする。但し、構成／設計情報１９５は、工事対象のシステムに関する構成情報、パラメータ情報および関連書類以外のシステム情報であっても構わない。
【００３８】
図１３は、実施の形態１における更新対象表１９４の一例を示す図である。
図１３に示すように、更新対象表１９４は、「主要作業」と更新対象「構成情報」「パラメータ情報」「関連書類」とを対応付けた表である。
「主要作業」は、主要作業の作業名を示す。
「構成情報」は、構成／設計情報１９５に含まれる構成情報が更新されるか否かを示す。図１３において丸印「○」は構成情報が更新されることを示し、ハイフン「−」は構成情報が更新されないことを示している。印の意味は「パラメータ情報」「関連書類」も同様である。
「パラメータ情報」は、構成／設計情報１９５に含まれるパラメータ情報が更新されるか否かを示す。
「関連書類」は、構成／設計情報１９５に含まれる関連書類が更新されるか否かを示す。
【００３９】
主要作業が「撤去」である場合、構成／設計情報１９５に含まれる情報のうち更新される情報は構成情報、パラメータ情報および関連情報である。
また、主要作業が「設定変更」である場合、更新される情報はパラメータ情報であり、構成情報および関連書類は更新されない情報である。
Ｓ１３３（図１２参照）の後、Ｓ１３４に進む。
【００４０】
Ｓ１３４において、更新対象特定部１３０は、未選択の対象機器が主要作業情報１２１に残っているか否かを判定する。
未選択の対象機器が残っている場合（ＹＥＳ）、処理はＳ１３１に戻る。
未選択の対象機器が残っていない場合（ＮＯ）、更新対象特定処理（Ｓ１３０）は終了する。
【００４１】
例えば、図１０に示した主要作業情報１２１と図１３に示した更新対象表１９４とを用いた場合、撤去されるホスト３に関する構成／設計情報１９５のうち更新される情報は構成情報、パラメータ情報および関連書類である。
また、設定変更されるホスト２に関する構成／設計情報１９５のうち更新される情報はパラメータ情報である。
【００４２】
次に、構成／設計情報表示処理（Ｓ１４０）（図２参照）について説明する。
Ｓ１４０において、構成／設計情報表示部１４０は、主要作業情報１２１（図１０参照）または工事範囲情報１１１（図７参照）に基づいて、工事範囲の対象機器を特定する。
構成／設計情報表示部１４０は、構成／設計情報１９５に基づいて構成／設計情報表示画面１４１をディスプレイに表示する。
そして、構成／設計情報表示部１４０は、更新対象特定処理（Ｓ１３０）（図１２参照）で特定された更新対象の情報を示す部分に“更新予定”であることを記す。
但し、構成／設計情報表示部１４０は、“更新予定”の表記を含んだ構成／設計情報１９５に関する情報を、ディスプレイに出力して表示する代わりに、プリンタ、ネットワークまたは記憶装置などに出力しても構わない。
【００４３】
図１４は、実施の形態１における構成／設計情報表示画面１４１の一例を示す図である。
例えば、構成／設計情報表示部１４０は、図１４の（１）から（３）に示すような構成／設計情報表示画面１４１を表示する。
【００４４】
構成／設計情報表示部１４０は、構成／設計情報１９５に含まれる構成情報に基づいて、ネットワークの構成図を表示する（図１４の（１））。
また、構成／設計情報表示部１４０は、「ホスト３」に関する構成情報が更新対象であることを、文字列“更新予定”または太枠などの表記で記す。
【００４５】
構成／設計情報表示部１４０は、構成／設計情報１９５に含まれるパラメータ情報に基づいて、各ネットワーク機器に設定するパラメータの設定値を示すパラメータ表を表示する（図１４の（２））。
また、構成／設計情報表示部１４０は、「ホスト２」に関するパラメータ情報および「ホスト３」に関するパラメータ情報が更新対象であることを、文字列“更新予定”または太枠などの表記で記す。
【００４６】
構成／設計情報表示部１４０は、構成／設計情報１９５に含まれる関連書類に基づいて、関連書類にリンクした関連書類名の一覧を表示する（図１４の（３））。
また、構成／設計情報表示部１４０は、「ホスト３」に関する関連書類が更新対象であることを、文字列“更新予定”または太字などの表記で記す。
【００４７】
以上のように、構成／設計情報表示装置１００は、構成／設計情報１９５に含まれる情報のうち更新予定の情報を特定し、構成／設計情報１９５を表示した際に更新予定の情報であることを記し、更新予定の情報を作業者に知らせることができる。
【００４８】
次に、構成／設計情報表示装置１００が用いる作業パターン表１９３の生成方法について説明する。
【００４９】
図１５は、実施の形態１における作業パターン生成処理を示すフローチャートである。
実施の形態１における作業パターン生成処理について、図１５に基づいて説明する。
【００５０】
Ｓ１５１において、作業パターン生成部１５０は、装置記憶部１９０から工事仕様書１９６を取得し、取得した工事仕様書１９６をディスプレイに表示する。
工事仕様書１９６は、工事するネットワークシステムの機器構成および工事の作業内容など、工事方法の概要または詳細が記載された文書ファイルである。
Ｓ１５１の後、処理はＳ１５２に進む。
【００５１】
Ｓ１５２において、作業者は、表示された工事仕様書１９６に基づいて工事対象の主要な機器を一次対象機器として判断し、一次対象機器に対する主要な作業を一次作業として判断し、入力装置を用いて一次作業の作業名を構成／設計情報表示装置１００に入力する。
Ｓ１５２の後、処理はＳ１５３に進む。
【００５２】
Ｓ１５３において、作業者は、表示された工事仕様書１９６に基づいて一次作業に伴って工事対象となる関連機器を二次対象機器として判断し、一次対象機器と二次対象機器との接続有無を判断し、入力装置を用いて一次対象機器と二次対象機器との接続有無を示す情報を構成／設計情報表示装置１００に入力する。
Ｓ１５３の後、処理はＳ１５４に進む。
【００５３】
Ｓ１５４において、作業者は、表示された工事仕様書１９６に基づいて二次対象機器に対して行われる各作業を判断し、入力装置を用いて二次対象機器に対して行われる各作業の作業名を構成／設計情報表示装置１００に入力する。
Ｓ１５４の後、処理はＳ１５５に進む。
【００５４】
Ｓ１５５において、作業パターン生成部１５０は、二次対象機器に対する作業毎に作業の重要度を重要度情報１９７から取得する。
図１６は、実施の形態１における重要度情報１９７の一例を示す図である。
図１６に示すように、重要度情報１９７は、「作業名」と「重要度」とを対応付けたデータである。図１６において、重要度の値が大きいほど、重要度は高い。
図１７は、実施の形態１における二次対象機器に対する作業の一例を示す図である。
例えば、図１７に示す二次対象機器に対する作業の作業名が入力された場合、作業パターン生成部１５０は、図１６に示す重要度情報１９７から作業名「設定確認」に対応する重要度「３」と、作業名「設定変更」に対応する重要度「１１」と、作業名「ケーブル抜線」に対応する重要度「２」とを取得する。
Ｓ１５５（図１５参照）の後、処理はＳ１５６に進む。
【００５５】
Ｓ１５６において、作業パターン生成部１５０は、二次対象機器に対する各作業のうち重要度が最も高い作業を、二次対象機器に対する主要な作業である二次作業として選択する。
図１７の場合、二次対象機器に対する各作業「設定確認」「設定変更」「ケーブル抜線」のうち、重要度が最も高い「設定変更」が二次作業である。
但し、二次対象機器に対する各作業の重要度のうち最も高い重要度が所定の重要度閾値より低い場合、作業パターン生成部１５０は二次作業が無いと判定しても構わない。
Ｓ１５６（図１５参照）の後、処理はＳ１５７に進む。
【００５６】
Ｓ１５７において、作業パターン生成部１５０は、Ｓ１５２で入力された一次作業の作業名と、Ｓ１５３で入力された接続有無の情報と、Ｓ１５６で選択した二次作業の作業名とを対応付けて作業パターン表１９３に追加で設定する。
図１８は、実施の形態１における作業パターン表１９３の一例を示す図である。
例えば、一次作業の作業名が「撤去」であり、接続有無の情報が「有り」であり、二次作業の作業名が「設定変更」である場合、作業パターン生成部１５０は、図１８に示すように作業パターン表１９３の設定を行う。
Ｓ１５６で二次作業が無いと判定した場合、作業パターン生成部１５０は、作業パターン表１９３の二次作業の欄を空欄「−」にする。
Ｓ１５７（図１５参照）の後、処理はＳ１５８に進む。
【００５７】
Ｓ１５８において、作業者は、作業パターン表１９３の生成を終了するか、または作業パターン表１９３に設定を追加するかを入力装置を用いて構成／設計情報表示装置１００に指定する。例えば、作業パターン生成部１５０は終了ボタンおよび追加ボタンをディスプレイに表示し、作業者は終了ボタンまたは追加ボタンをマウスを用いて押下する。
作業パターン表１９３の生成を終了する場合（ＹＥＳ）、作業パターン生成処理は終了する。
作業パターン表１９３の生成を終了しない場合（ＮＯ）、処理はＳ１５２に戻る。
【００５８】
図１５で説明した作業パターン生成処理により、例えば、図９に示した作業パターン表１９３が生成される。
【００５９】
図１９は、実施の形態１における構成／設計情報表示装置１００のハードウェア資源の一例を示す図である。
図１９において、構成／設計情報表示装置１００（コンピュータの一例）は、ＣＰＵ９０１（Ｃｅｎｔｒａｌ  Ｐｒｏｃｅｓｓｉｎｇ  Ｕｎｉｔ）を備えている。ＣＰＵ９０１は、バス９０２を介してＲＯＭ９０３、ＲＡＭ９０４、通信ボード９０５（通信装置）、ディスプレイ９１１（表示装置）、キーボード９１２、マウス９１３、ドライブ９１４、磁気ディスク装置９２０などのハードウェアデバイスと接続され、これらのハードウェアデバイスを制御する。ドライブ９１４は、ＦＤ（Ｆｌｅｘｉｂｌｅ  Ｄｉｓｋ）、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）などの記憶媒体を読み書きする装置である。
ＲＯＭ９０３、ＲＡＭ９０４、磁気ディスク装置９２０およびドライブ９１４は記憶装置の一例である。キーボード９１２、マウス９１３および通信ボード９０５は入力装置の一例である。ディスプレイ９１１および通信ボード９０５は出力装置の一例である。
【００６０】
通信ボード９０５は、有線または無線で、ＬＡＮ（Ｌｏｃａｌ  Ａｒｅａ  Ｎｅｔｗｏｒｋ）、インターネット、電話回線などの通信網に接続している。
【００６１】
磁気ディスク装置９２０には、ＯＳ９２１（オペレーティングシステム）、プログラム群９２２、ファイル群９２３が記憶されている。
【００６２】
プログラム群９２２には、実施の形態において「〜部」として説明する機能を実行するプログラムが含まれる。プログラム（例えば、更新予定出力プログラム）は、ＣＰＵ９０１により読み出され実行される。すなわち、プログラムは、「〜部」としてコンピュータを機能させるものであり、また「〜部」の手順や方法をコンピュータに実行させるものである。
【００６３】
ファイル群９２３には、実施の形態において説明する「〜部」で使用される各種データ（入力、出力、判定結果、計算結果、処理結果など）が含まれる。
【００６４】
実施の形態において構成図およびフローチャートに含まれている矢印は主としてデータや信号の入出力を示す。
フローチャートなどに基づいて説明する実施の形態の処理はＣＰＵ９０１、記憶装置、入力装置、出力装置などのハードウェアを用いて実行される。
【００６５】
実施の形態において「〜部」として説明するものは「〜回路」、「〜装置」、「〜機器」であってもよく、また「〜ステップ」、「〜手順」、「〜処理」であってもよい。すなわち、「〜部」として説明するものは、ファームウェア、ソフトウェア、ハードウェアまたはこれらの組み合わせのいずれで実装されても構わない。
【００６６】
実施の形態において構成／設計情報表示装置１００は、複数の装置を用いて構成した構成／設計情報表示システムであっても構わない。例えば、構成／設計情報表示システムを構成する複数の装置はネットワークを介して互いに必要な情報を通信する。
【００６７】
実施の形態１により、構成／設計情報１９５のうち更新予定の情報を利用者に知らせることができる。
また、二次対象機器に対する主要作業（二次作業）を自動で特定することができるため、作業者の負担を軽減すると共に、作業者による入力ミスを防ぐことができる。
【００６８】
実施の形態１において、例えば、以下のような更新予定出力装置（１００）について説明した。括弧内に実施の形態で説明した構成のうち対応する構成の符号または名称を記す。
前記更新予定出力装置は、更新対象情報記憶部（１９４）と、作業情報記憶部（１２１）と、システム情報識別子取得部（１３０）と、更新予定出力部（１４０）とを備える。
前記更新対象情報記憶部は、複数の機器を備える対象システムに対する作業毎に、当該作業を識別する作業識別子と、前記対象システムに関して異なる種類の情報を示す複数のシステム情報（１９５）のうち当該作業が行われた場合に更新されるシステム情報を識別するシステム情報識別子と、を対応付けて記憶する。
前記作業情報記憶部は、前記対象システムに対する工事で行われる一つの作業である一次作業を識別する作業識別子と、前記複数の機器のうち前記一次作業の作業対象となる一次機器を識別する機器識別子と、を記憶する。
前記システム情報識別子取得部は、前記更新対象情報記憶部から、前記作業情報記憶部に記憶される前記一次作業の作業識別子と同じ作業識別子に対応付けられた第一のシステム情報識別子を取得する（Ｓ１３３）。
前記更新予定出力部は、前記作業情報記憶部に記憶される前記一次機器の機器識別子に基づいて、前記システム情報識別子取得部によって取得された前記第一のシステム情報識別子によって識別されるシステム情報のうち前記一次機器に関する部分が更新予定である旨の情報を出力する（Ｓ１４０）。
【００６９】
前記更新予定出力装置は、作業パターン情報記憶部（１９３）と、第二作業識別子取得部（１２０）とを備える。
前記作業情報記憶部は、前記一次作業の作業識別子と前記一次機器の機器識別子とに加えて、前記一次機器に対して前記一次作業が行われることに伴って作業対象となる二次機器を識別する機器識別子を記憶する。
前記第二作業識別子取得部は、前記作業パターン情報記憶部から、前記作業情報記憶部に記憶される前記一次作業の作業識別子と同じ前記第一作業の作業識別子に対応付けられた第二作業の作業識別子、を取得する。
前記システム情報識別子取得部は、前記更新対象情報記憶部から、前記第二作業識別子取得部によって取得された前記第二作業の作業識別子と同じ作業識別子に対応付けられた第二のシステム情報識別子を取得する。
前記更新予定出力部は、前記作業情報記憶部に記憶された前記二次機器の機器識別子に基づいて、前記システム情報識別子取得部によって取得された前記第二のシステム情報識別子によって識別されるシステム情報のうち前記二次機器に関する部分が更新予定である旨の情報を出力する。
【００７０】
前記更新予定出力装置は、工事仕様ファイル記憶部（１９６）と、作業重要度記憶部（１９７）と、作業パターン生成部（１５０）とを備える。
前記工事仕様ファイル記憶部は、前記対象システムに対する工事の仕様に関する工事仕様ファイルであって、前記第一作業と、前記第二作業の候補となる一つ以上の第二作業候補と、を判断するための情報を含んだ工事仕様ファイル、を記憶する。
前記作業重要度記憶部は、作業毎に、当該作業を識別する作業識別子と、当該作業の重要度を表す作業重要度と、を対応付けて記憶する。
前記作業パターン生成部は、前記作業パターン情報記憶部に、前記第一作業の作業識別子と、前記第二作業の作業識別子と、を対応付けて記憶する。
前記作業パターン生成部は、前記工事仕様ファイル記憶部に記憶された工事仕様ファイルを表示することによって、前記第一作業の作業識別子と、一つ以上の第二作業候補それぞれの作業識別子と、の入力を促す。
前記作業パターン生成部は、入力された第二作業候補の作業識別子毎に、当該作業識別子と同じ作業識別子に対応付けられた作業重要度を前記作業重要度記憶部から取得する。
前記作業パターン生成部は、入力された第二作業候補の作業識別子毎に取得した作業重要度に基づいて、前記第二作業の作業識別子を特定する。
前記作業パターン生成部は、入力された前記第一作業の作業識別子と、特定した前記第二作業の作業識別子と、を対応付けて前記作業パターン情報記憶部に記憶する。
【００７１】
実施の形態２．
主要作業情報１２１を自動で生成する形態について説明する。
以下、実施の形態１と異なる事項について主に説明する。説明を省略する事項については実施の形態１と同様である。
【００７２】
図２０は、実施の形態２における構成／設計情報表示装置１００の機能構成図である。
実施の形態２における構成／設計情報表示装置１００の機能構成について、図２０に基づいて説明する。
【００７３】
構成／設計情報表示装置１００は、実施の形態１（図１参照）で説明した工事範囲情報生成部１１０の代わりに、工事パターン生成部２１０（工事パターン生成部の一例）を備える。
工事パターン生成部２１０は、工事範囲の対象機器と対象機器に接続する接続先機器との接続関係を表す１つ以上の工事パターンを含んだ工事パターン情報２１１（図示省略）を生成する。
装置記憶部１９０は、工事パターン生成部２１０によって生成される工事パターン情報２１１を記憶する。
また、装置記憶部１９０は、機器名の一覧を示す機器名一覧表２９１（機器識別子記憶部の一例）と、機器同士の接続関係を示す機器接続情報２９２（接続情報記憶部の一例）とを予め記憶する。
【００７４】
図２１は、実施の形態２における構成／設計情報表示処理を示すフローチャートである。
実施の形態２における構成／設計情報表示処理の概要について、図２１に基づいて説明する。
【００７５】
Ｓ２１０において、工事パターン生成部２１０は、工事範囲の対象機器と対象機器に接続する接続先機器との接続関係を表す１つ以上の工事パターンを含んだ工事パターン情報２１１を生成する。Ｓ２１０の後、処理はＳ２２０に進む。
Ｓ２２０において、主要作業情報生成部１２０は、工事パターン情報２１１と作業パターン表１９３とに基づいて主要作業情報１２１を生成する。Ｓ２２０の後、処理はＳ１３０およびＳ１４０に進む。
Ｓ１３０およびＳ１４０の処理は、実施の形態１と同じである。
【００７６】
以下に、工事パターン生成処理（Ｓ２１０）および主要作業情報生成処理（Ｓ２２０）について説明する。
【００７７】
図２２は、実施の形態２における工事パターン生成処理（Ｓ２１０）を示すフローチャートである。
実施の形態２における工事パターン生成処理（Ｓ２１０）について、図２２に基づいて説明する。
工事パターン生成処理（Ｓ２１０）はＳ２１１からＳ２１７の処理で構成される。
【００７８】
Ｓ２１１において、作業者は、実施の形態１のＳ１１１（図３参照）と同様に、工事番号を入力する。
Ｓ２１１の後、処理はＳ２１２に進む。
【００７９】
Ｓ２１２において、工事パターン生成部２１０は、実施の形態１のＳ１１２（図３参照）と同様に、工事番号に対応する工事区分を工事区分表１９１から取得する。
Ｓ２１２の後、処理はＳ２１３に進む。
【００８０】
Ｓ２１３において、工事パターン生成部２１０は、工事番号に対応付けられた工事詳細手順書１９２を装置記憶部１９０から取得する。以下、工事番号に対応付けられた工事詳細手順書１９２を単に「工事詳細手順書１９２」という。
工事パターン生成部２１０は、機器名一覧表２９１に含まれる機器名のうち工事詳細手順書１９２に記載されている機器名を、工事範囲を構成する対象機器の機器名として特定する。
【００８１】
図２３は、実施の形態２における機器名一覧表２９１の一例を示す図である。
図２４は、実施の形態２における工事範囲の対象機器の機器名を示す図である。
例えば、工事パターン生成部２１０は、図２３の機器名一覧表２９１に含まれる「ホスト１」「ホスト２」「ホスト３」「ホスト４」などの機器名を検索キーにして工事詳細手順書１９２を検索する。
ここで、検索の結果、機器名「ホスト２」「ホスト３」が工事詳細手順書１９２から見つかったものとする。
この場合、機器名「ホスト２」「ホスト３」が、工事範囲を構成する対象機器の機器名である（図２４参照）。
Ｓ２１３（図２２参照）の後、Ｓ２１４に進む。
【００８２】
Ｓ２１４において、工事パターン生成部２１０は、機器接続情報２９２に基づいて、対象機器同士の接続有無を判定する。
【００８３】
図２５は、実施の形態２における機器接続情報２９２の一例を示す図である。
図２５に示すように、機器接続情報２９２は、「対象機器」と「接続先機器」とを対応付けている。
「対象機器」は対象機器の機器名を示し、「接続先機器」は対象機器に接続する接続先機器の機器名を示す。
対象機器の機器名が「ホスト２」「ホスト３」である場合、図２５の機器接続情報２９２には「ホスト２」と「ホスト３」とが対応付けられた行（３行目および６行目）が含まれるため、対象機器「ホスト２」と対象機器「ホスト３」とは接続されている。
Ｓ２１４（図２２参照）の後、Ｓ２１５に進む。
【００８４】
Ｓ２１５において、工事パターン生成部２１０は、Ｓ２１２で取得した工事区分（一次作業）と、Ｓ２１３で特定した各対象機器の機器名と、Ｓ２１４で判定した接続有無を示す情報とを組み合わせて１つ以上の工事パターンを生成する。以下、生成した１つ以上の工事パターンそれぞれの情報を含んだデータを「工事パターン情報２１１」という。
【００８５】
図２６は、実施の形態２における工事パターン情報２１１の概要例を示す図である。
図２６に示す工事パターン情報２１１は、３つの工事パターン（１）（２）（３）を含んでいる。
工事区分（一次作業）が「撤去」であり、対象機器が「ホスト３」および「ホスト２」であり、「ホスト２」と「ホスト３」とに接続関係がある場合、工事パターン生成部２１０は、以下の３つの工事パターンを生成する。
（１）ホスト３が一次対象機器である工事パターン。
（２）ホスト２が一次対象機器である工事パターン。
（３）ホスト３とホスト２との両方が一次対象機器である工事パターン。
そして、工事パターン生成部２１０は、３つの工事パターン（１）（２）（３）それぞれの情報を含んだ工事パターン情報２１１（図２６参照）を生成する。
Ｓ２１５（図２２参照）の後、Ｓ２１６に進む。
【００８６】
Ｓ２１６において、工事パターン生成部２１０は、機器接続情報２９２に基づいて、対象機器毎に対象機器に接続する接続先機器を特定する。
例えば、対象機器が「ホスト２」「ホスト３」である場合、工事パターン生成部２１０は、図２５に示した機器接続情報２９２に基づいて、以下の接続先機器を特定する。
対象機器「ホスト２」に接続する接続先機器は「ホスト１」「ホスト３（対象機器）」「ホスト４」「ホスト５」である。
対象機器「ホスト３」に接続する接続先機器は「ホスト２（対象機器）」である。
Ｓ２１６（図２２参照）の後、Ｓ２１７に進む。
【００８７】
Ｓ２１７において、工事パターン生成部２１０は、Ｓ２１５で生成した各工事パターンに、Ｓ２１６で特定した各接続先機器の機器名を追加する。
例えば、工事パターン生成部２１０は、図２６に示した３つの工事パターン（１）（２）（３）に、対象機器「ホスト２」に接続する接続先機器の機器名「ホスト１」「ホスト３（対象機器）」「ホスト４」「ホスト５」と、対象機器「ホスト３」に接続する接続先機器の機器名「ホスト２（対象機器）」とを追加する。但し、「ホスト２」「ホスト３」は、対象機器として工事パターンに設定済みであるため、工事パターンに追加する必要はない。その結果、工事パターン情報２１１は、図２７を表す情報になる。
図２７は、実施の形態２における工事パターン情報２１１の一例を示す図である。
Ｓ２１７（図２２参照）の後、工事パターン生成処理（Ｓ２１０）は終了する。
【００８８】
図２８は、実施の形態２における主要作業情報生成処理（Ｓ２２０）を示すフローチャートである。
実施の形態２における主要作業情報生成処理（Ｓ２２０）について、図２８に基づいて説明する。
【００８９】
Ｓ２２１において、主要作業情報生成部１２０は、工事パターン情報２１１から一次作業の作業名と接続有無の情報とを取得する。
主要作業情報生成部１２０は、取得した一次作業の作業名と接続有無の情報と同じ組み合わせに対応付けられた二次作業の作業名を作業パターン表１９３から取得する。
例えば、一次作業の作業名が「撤去」であり、接続有無の情報が「有り」である場合、主要作業情報生成部１２０は、図９に示した作業パターン表１９３から二次作業の作業名「設定変更」を取得する。
Ｓ２２１（図２８参照）の後、Ｓ２２２に進む。
【００９０】
Ｓ２２２において、主要作業情報生成部１２０は、工事パターン情報２１１に含まれる各工事パターンに、Ｓ２２１で取得した二次作業の作業名を設定する。
例えば、主要作業情報生成部１２０は、図２７に示した３つの工事パターン（１）（２）（３）に、二次作業の作業名「設定変更」を設定する。
図２７において、「撤去」が一次作業の作業名であり、「撤去」が対応付けられた機器「ホスト３」または「ホスト２」が一次対象機器の機器名である。
工事パターン（１）の場合、主要作業情報生成部１２０は、一次対象機器「ホスト３」に接続する接続先機器「ホスト２」を二次対象機器として定義し、二次対象機器「ホスト２」に対応付けて二次作業の作業名「設定変更」を設定する。
工事パターン（２）および工事パターン（３）についても同様に、主要作業情報生成部１２０は二次対象機器を定義し、二次対象機器に対応付けて二次作業の作業名「設定変更」を設定する。その結果、工事パターン情報２１１は、図２９を表す情報になる。
図２９は、実施の形態２における工事パターン情報２１１の一例を示す図である。
Ｓ２２２（図２８参照）の後、Ｓ２２３に進む。
【００９１】
Ｓ２２３において、主要作業情報生成部１２０は、工事パターン情報２１１に含まれる工事パターンのうち、工事パターン生成処理（図２２参照）のＳ２１３で特定された工事範囲と一致する一次対象機器および二次対象機器を示す工事パターンを選択する。
例えば、工事範囲を構成する対象機器の機器名が「ホスト２」「ホスト３」である場合、主要作業情報生成部１２０は、図２９に示した工事パターン情報２１１に含まれる３つの工事パターンのうち、工事パターン（１）を選択する。工事パターン（１）の一次対象機器の機器名「ホスト３」および二次対象機器の機器名「ホスト２」が、工事範囲を構成する対象機器の機器名「ホスト２」「ホスト３」と一致するからである。
Ｓ２２３（図２８参照）の後、Ｓ２２４に進む。
【００９２】
Ｓ２２４において、主要作業情報生成部１２０は、Ｓ２２３で選択した工事パターンに基づいて、主要作業情報１２１を生成する。
例えば、主要作業情報生成部１２０は、図２９に示す工事パターン（１）を選択したものとする。工事パターン（１）は、一次作業の作業名「撤去」（工事区分）と、一次対象機器の機器名「ホスト３」と、二次対象機器の機器名「ホスト２」とを示している。また、工事パターン（１）は、一次対象機器「ホスト３」と二次対象機器「ホスト２」とが接続されていることを示している。
この場合、主要作業情報生成部１２０は、図７に示すような工事範囲情報１１１を生成する。
Ｓ２２４（図２８参照）の後、主要作業情報生成処理（Ｓ２２０）は終了する。
【００９３】
実施の形態２により、構成／設計情報１９５のうち更新予定の情報を利用者に知らせることができる。
また、主要作業情報１２１を自動で生成することができるため、作業者の負担を軽減すると共に、作業者による入力ミスを防ぐことができる。
【００９４】
実施の形態２において、例えば、以下のような更新予定出力装置（１００）について説明した。括弧内に実施の形態で説明した構成のうち対応する構成の符号または名称を記す。
前記更新予定出力装置は、接続情報記憶部（２９２）と、工事パターン生成部（２１０）と、作業情報生成部（１２０）とを備える。
前記接続情報記憶部は、機器毎に、当該機器を識別する機器識別子と、当該機器に接続される機器を識別する機器識別子と、を対応付けて記憶する。
前記工事パターン生成部は、作業対象となる複数の対象機器それぞれの機器識別子と、前記複数の対象機器の少なくともいずれかの対象機器に接続する接続先機器の機器識別子とを含むと共に、前記複数の対象機器それぞれの機器識別子のいずれかの機器識別子に対応付けて前記一次作業の作業識別子を含んだ複数の工事パターン（２１１）を生成する（Ｓ２１０）。
前記作業情報生成部は、前記工事パターン生成部によって生成された複数の工事パターンのいずれかの工事パターンに基づいて、前記一次作業の作業識別子と、前記一次機器の機器識別子と、前記二次機器の機器識別子と、を前記作業情報記憶部に記憶する（Ｓ２２０）。
前記工事パターン生成部は、前記一次作業の作業識別子を取得する（Ｓ２１２）。
前記工事パターン生成部は、前記複数の対象機器それぞれの機器識別子を取得する（Ｓ２１３）。
前記工事パターン生成部は、前記複数の対象機器それぞれの機器識別子毎に、前記接続情報記憶部から当該機器識別子と同じ機器識別子に対応付けられた機器識別子を前記接続先機器の機器識別子として取得する（Ｓ２１６）。
前記工事パターン生成部は、前記複数の対象機器それぞれの機器識別子毎に、前記複数の工事パターンに含まれる一つの工事パターンとして、前記複数の対象機器それぞれの機器識別子と前記接続先機器の機器識別子とを含むと共に、前記複数の対象機器それぞれの機器識別子のうち当該機器識別子に対応付けて前記一次作業の作業識別子を含む工事パターンを生成する（Ｓ２１７）。
【００９５】
前記更新予定出力装置は、機器識別子記憶部（２９１）と、工事手順ファイル記憶部（１９２）とを備える。
前記機器識別子記憶部は、前記対象システムが備える前記複数の機器それぞれの機器識別子を記憶する。
前記工事手順ファイル記憶部は、前記対象システムに対する工事の手順に関する工事手順ファイルであって、前記複数の対象機器それぞれの機器識別子を含んだ工事手順ファイルを記憶する。
前記工事パターン生成部は、前記工事手順ファイル記憶部に記憶された前記工事手順ファイルから、前記機器識別子記憶部に記憶されたいずれかの機器識別子と一致する複数の文字列を前記複数の対象機器それぞれの機器識別子として取得する（Ｓ２１３）。
【００９６】
前記更新予定出力装置は、工事毎に、当該工事を識別する工事識別子と、当該工事で行われる一つの作業を識別する作業識別子と、を対応付けて記憶する作業識別子記憶部（１９１）を備える。
前記工事パターン生成部は、入力される工事識別子と同じ工事識別子に対応付けられた作業識別子を前記一次作業の作業識別子として前記作業識別子記憶部から取得する（Ｓ２１１）。
【００９７】
前記作業情報生成部は、前記複数の工事パターンの工事パターン毎に、当該工事パターンに含まれる接続先機器の機器識別子に対応付けて前記第二作業の作業識別子を設定する（Ｓ２２１、Ｓ２２２）。
前記作業情報生成部は、前記複数の工事パターンのうち、前記複数の対象機器それぞれの機器識別子に対応付けて前記一次作業の作業識別子と前記第二作業の作業識別子とを含む工事パターンを選択する（Ｓ２２３）。
前記作業情報生成部は、選択した工事パターンに含まれる前記一次作業の作業識別子を前記作業情報記憶部に記憶する（Ｓ２２４）。
前記作業情報生成部は、選択した工事パターンに含まれる機器識別子のうち前記一次作業の作業識別子に対応付けられた機器識別子を前記一次機器の機器識別子として前記作業情報記憶部に記憶する（Ｓ２２４）。
前記作業情報生成部は、選択した工事パターンに含まれる機器識別子のうち前記第二作業の作業識別子に対応付けられた機器識別子を前記二次機器の機器識別子として前記作業情報記憶部に記憶する（Ｓ２２４）。
【００９８】
実施の形態３．
実施の形態１、２では、“更新予定”を含んだ構成／設計情報１９５（図１４参照）を表示する形態について説明した。
実施の形態３では、“更新予定”部分の構成／設計情報１９５だけを表示する形態について説明する。
以下、実施の形態２と異なる事項について主に説明する。説明を省略する事項については実施の形態２と同様である。
【００９９】
図３０は、実施の形態３における構成／設計情報表示装置１００の機能構成図である。
実施の形態３における構成／設計情報表示装置１００の機能構成について、図３０に基づいて説明する。
構成／設計情報表示装置１００は、実施の形態２（図２０参照）の構成／設計情報表示部１４０の代わりに、更新予定表示部２２０を備える。
更新予定表示部２２０は、更新予定の構成／設計情報１９５に関する情報だけを表示する。
【０１００】
図３１は、実施の形態３における構成／設計情報表示処理を示すフローチャートである。
実施の形態３における構成／設計情報表示処理の概要について、図３１に基づいて説明する。
【０１０１】
構成／設計情報表示装置１００は、実施の形態２（図２１参照）のＳ１４０の代わりに、更新予定表示処理（Ｓ２４０）を実行する。
Ｓ２４０において、更新予定表示部２２０は、更新予定の構成／設計情報１９５に関する情報だけを表示する。
【０１０２】
図３２は、実施の形態３における更新予定表示画面２２１の一例を示す図である。
例えば、更新予定表示部２２０は、構成／設計情報１９５に含まれる関連書類名のうち更新予定（更新対象）である関連書類の書類名「ホスト３  関連書類」だけを選択し、選択した書類名「ホスト３  関連書類」を含んだ更新予定表示画面２２１をディスプレイに表示する（図３２参照）。
これにより、更新予定表示部２２０は、更新予定である「ホスト３  関連書類」の更新を促し、「ホスト３  関連書類」の更新漏れを防ぐことができる。
但し、更新予定表示部２２０は、構成情報またはパラメータ情報など、関連書類以外の構成／設計情報１９５について更新予定の情報を選択し、選択した情報を示す更新予定表示画面２２１を表示しても構わない。
また、更新予定表示部２２０は、更新予定の構成／設計情報１９５に関する情報を、ディスプレイに出力して表示する代わりに、プリンタ、ネットワークまたは記憶装置などに出力しても構わない。
【０１０３】
実施の形態１における構成／設計情報表示装置１００（図１参照）が、構成／設計情報表示部１４０の代わりに、更新予定表示部２２０を備えても構わない。
また、実施の形態１、２における構成／設計情報表示装置１００（図１、図２０参照）が、更新予定表示部２２０を追加で備えても構わない。
【０１０４】
実施の形態４．
監視が必要な対象機器を作業者に知らせる形態について説明する。
以下、実施の形態２と異なる事項について主に説明する。説明を省略する事項については実施の形態２と同様である。
【０１０５】
図３３は、実施の形態４における構成／設計情報表示装置１００の機能構成図である。
実施の形態４における構成／設計情報表示装置１００の機能構成について、図３３に基づいて説明する。
【０１０６】
構成／設計情報表示装置１００（監視対象情報出力装置の一例）は、実施の形態２（図２０参照）の更新対象特定部１３０の代わりに監視対象特定部２３０（監視要否判定部の一例）を備え、構成／設計情報表示部１４０の代わりに監視対象表示部２４０（監視対象情報出力部の一例）を備える。
また、装置記憶部１９０は、工事番号毎に工事番号に対応付けて障害監視項目リスト２９３（監視対象情報記憶部の一例）を予め記憶すると共に、障害発生率表２９４を予め記憶する。実施の形態２（図２０参照）に示した工事仕様書１９６および重要度情報１９７については図示を省略する。
【０１０７】
監視対象特定部２３０は、主要作業情報１２１と障害監視項目リスト２９３と障害発生率表２９４とに基づいて、監視対象の対象機器を特定する。
監視対象表示部２４０は、構成／設計情報１９５を用いて監視対象の対象機器を表示する。
障害監視項目リスト２９３は、機器の性能に関する障害の監視、または機器が動作しているか否かを監視する生死監視など、機器に障害が発生しているか否かを監視するための監視項目（以下、「障害監視項目」という）の一覧を示す。
障害発生率表２９４は、主要作業と障害監視項目との組み合わせ毎に、主要作業が行われた場合に障害監視項目によって監視される障害が発生する可能性の度合い（以下、「障害発生率」という）を示す。障害発生率が高いほど、機器を監視する必要性が高い。つまり、障害発生率は、機器を監視する必要性の度合いでもある。
【０１０８】
図３４は、実施の形態４における構成／設計情報表示処理を示すフローチャートである。
実施の形態４における構成／設計情報表示処理の概要について、図３４に基づいて説明する。
【０１０９】
構成／設計情報表示装置１００は、実施の形態２（図２１参照）のＳ１３０およびＳ１４０の代わりに、監視対象特定処理（Ｓ２３０）および監視対象表示処理（Ｓ２４０）を実行する。
Ｓ２３０において、監視対象特定部２３０は、主要作業情報１２１と障害監視項目リスト２９３と障害発生率表２９４とに基づいて、監視対象の対象機器を特定する。
Ｓ２４０において、監視対象表示部２４０は、構成／設計情報１９５を用いて監視対象の対象機器を表示する。
以下に、監視対象特定処理（Ｓ２３０）および監視対象表示処理（Ｓ２４０）について説明する。
【０１１０】
図３５は、実施の形態４における監視対象特定処理（Ｓ２３０）を示すフローチャートである。
実施の形態４における監視対象特定処理（Ｓ２３０）について、図３５に基づいて説明する。
監視対象特定処理（Ｓ２３０）は、Ｓ２３１からＳ２３６の処理で構成される。
【０１１１】
Ｓ２３１において、監視対象特定部２３０は、作業者によって入力された工事番号（図３のＳ１１１参照）と同じ番号に対応付けられた障害監視項目リスト２９３を装置記憶部１９０から取得する。
Ｓ２３１の後、処理はＳ２３２に進む。
【０１１２】
Ｓ２３２において、監視対象特定部２３０は、Ｓ２３１で取得した障害監視項目リスト２９３から未選択の障害監視項目を選択する。
図３６は、実施の形態４における障害監視項目リスト２９３の一例を示す図である。
例えば、監視対象特定部２３０は、図３６に示す障害監視項目リスト２９３から未選択の障害監視項目「性能監視」を取得する。
Ｓ２３２（図３５参照）の後、処理はＳ２３３に進む。
【０１１３】
Ｓ２３３において、監視対象特定部２３０は、主要作業情報１２１に含まれる対象機器の機器名毎に、主要作業情報１２１から対象機器に対する主要作業の作業名を取得する。
例えば、監視対象特定部２３０は、図１０に示した主要作業情報１２１から対象機器「ホスト３」に対する主要作業の作業名「撤去」を取得し、対象機器「ホスト２」に対する主要作業の作業名「設定変更」を取得する。
Ｓ２３３（図３５参照）の後、処理はＳ２３４に進む。
【０１１４】
Ｓ２３４において、監視対象特定部２３０は、主要作業情報１２１が示す対象機器毎にＳ２３３で取得した対象機器の作業名とＳ２３２で選択した障害監視項目と同じ組み合わせに対応付けられた障害発生率を障害発生率表２９４から取得する。
【０１１５】
図３７は、実施の形態４における障害発生率表２９４の一例を示す図である。
選択した障害監視項目が「性能監視」であり、対象機器「ホスト３」に対する主要作業の作業名が「撤去」である場合、監視対象特定部２３０は、対象機器「ホスト３」の障害発生率として、図３７に示す障害発生率表２９４から障害発生率「−」を取得する。障害発生率「−」は対象機器の障害が発生しない、または対象機器を監視する必要がない、ことを意味する。つまり、障害発生率「−」は障害発生率がゼロであることを意味する。
選択した障害監視項目が「性能監視」であり、対象機器「ホスト２」に対する主要作業の作業名が「設定変更」である場合、監視対象特定部２３０は、対象機器「ホスト２」の障害発生率として、図３７に示す障害発生率表２９４から障害発生率「５」を取得する。障害発生率「５」は、１から５の５段階（「−」を加えると６段階）の障害発生率のうち最も高い障害発生率を意味する。障害発生率は、例えば、パーセントで表しても構わない。
Ｓ２３４（図３５参照）の後、処理はＳ２３５に進む。
【０１１６】
Ｓ２３５において、監視対象特定部２３０は、Ｓ２３４で取得した各対象機器の障害発生率に基づいて、監視対象の対象機器を特定する。
例えば、監視対象特定部２３０は、障害発生率が「−」でない各対象機器を監視対象の対象機器として特定する。対象機器「ホスト３」の障害発生率が「−」であり、対象機器「ホスト２」の障害発生率が「５」である場合、「ホスト３」は監視対象の対象機器ではなく、「ホスト２」は監視対象の対象機器である。
例えば、監視対象特定部２３０は、障害発生率が所定の監視対象閾値以上である各対象機器を監視対象の対象機器として特定する。監視対象閾値が「３」であり、対象機器「ホスト３」の障害発生率が「−」であり、対象機器「ホスト２」の障害発生率が「５」である場合、「ホスト３」は監視対象の対象機器ではなく、「ホスト２」は監視対象の対象機器である。
Ｓ２３５（図３５参照）の後、Ｓ２３６に進む。
【０１１７】
Ｓ２３６において、監視対象特定部２３０は、Ｓ２３２で選択していない未選択の障害監視項目が障害監視項目リスト２９３に残っているか否かを判定する。
未選択の障害監視項目が残っている場合（ＹＥＳ）、処理はＳ２３２に戻る。
未選択の障害監視項目が残っていない場合（ＮＯ）、監視対象特定処理（Ｓ２３０）は終了する。
【０１１８】
次に、監視対象表示処理（Ｓ２４０）について説明する。
Ｓ２４０において、監視対象表示部２４０は、障害監視項目リスト２９３に含まれる障害監視項目毎に監視対象の対象機器を示す監視対象表示画面２４１を生成し、生成した監視対象表示画面２４１をディスプレイに表示する。
例えば、監視対象表示部２４０は、構成／設計情報１９５に含まれる構成情報を用いて構成図を生成する。監視対象表示部２４０は、生成した構成図に含まれる監視対象の対象機器の表記を太枠で囲むと共に、文字列“要監視”を付加する。そして、監視対象表示部２４０は、その構成図を含んだ監視対象表示画面２４１を表示する（図３８参照）。
【０１１９】
図３８は、実施の形態４における監視対象表示画面２４１の一例を示す図である。
図３８の（１）は障害監視項目「性能監視」についての監視対象表示画面２４１であり、ホスト２が監視対象であることを示している。
図３８の（２）は障害監視項目「生死監視」についての監視対象表示画面２４１であり、ホスト３およびホスト２が監視対象であることを示している。
【０１２０】
但し、監視対象表示部２４０は、パラメータ情報または関連書類の一覧など、構成情報以外の構成／設計情報１９５を用いて監視対象の対象機器を示しても構わない。
また、監視対象表示部２４０は、構成／設計情報１９５を用いず、監視対象の対象機器の機器名を一覧で表示しても構わない。
【０１２１】
但し、監視対象表示部２４０は、監視対象の対象機器に関する情報をディスプレイに出力して表示する代わりに、プリンタ、ネットワークまたは記憶装置などに出力しても構わない。
【０１２２】
実施の形態１における構成／設計情報表示装置１００（図１参照）が、更新対象特定部１３０および構成／設計情報表示部１４０の代わりに、監視対象特定部２３０および監視対象表示部２４０を備えても構わない。
また、実施の形態１から３における構成／設計情報表示装置１００（図１、図２０参照）が、監視対象特定部２３０および監視対象表示部２４０を追加で備えても構わない。
【０１２３】
実施の形態４により、監視が必要な対象機器を作業者に知らせることができる。作業者は、工事による障害の影響範囲（監視が必要な対象機器）を確認することができる。
【０１２４】
実施の形態４において、例えば、以下のような更新予定出力装置（１００）について説明した。括弧内に実施の形態で説明した構成のうち対応する構成の符号または名称を記す。
前記更新予定出力装置は、監視対象情報記憶部（２９３）と、監視要否判定部（２３０）と、監視対象情報出力部（２４０）とを備える。
前記監視対象情報記憶部は、複数の機器を備える対象システムに対する複数の作業のうち、作業対象である機器を監視する必要がある監視対象作業、を識別する作業識別子を記憶する。
前記監視要否判定部は、前記作業情報記憶部に記憶される前記一次作業の作業識別子が監視対象作業の作業識別子として前記監視対象情報記憶部に記憶されているか否かを判定する（Ｓ２３４、Ｓ２３５）。
前記監視対象情報出力部は、前記監視要否判定部によって前記一次作業の作業識別子が監視対象作業の作業識別子として前記監視対象情報記憶部に記憶されていると判定された場合、前記作業情報記憶部に記憶される前記一次機器の機器識別子に基づいて、前記一次機器が監視対象の機器である旨の情報を出力する（Ｓ２５０）。
【０１２５】
実施の形態４において、例えば、以下のような監視対象情報出力装置（１００）について説明した。括弧内に実施の形態で説明した構成のうち対応する構成の符号または名称を記す。
前記監視対象情報出力装置は、監視対象情報記憶部（２９３）と、作業情報記憶部（１２１）と、監視要否判定部（２３０）と、監視対象情報出力部（２４０）とを備える。
前記監視対象情報記憶部は、複数の機器を備える対象システムに対する複数の作業のうち、作業対象である機器を監視する必要がある監視対象作業、を識別する作業識別子を記憶する。
前記作業情報記憶部は、前記対象システムに対する工事で行われる一つの作業である一次作業を識別する作業識別子と、前記複数の機器のうち前記一次作業の作業対象となる一次機器を識別する機器識別子と、を記憶する。
前記監視要否判定部は、前記作業情報記憶部に記憶される前記一次作業の作業識別子が監視対象作業の作業識別子として前記監視対象情報記憶部に記憶されているか否かを判定する（Ｓ２３４、Ｓ２３５）。
前記監視対象情報出力部は、前記監視要否判定部によって前記一次作業の作業識別子が監視対象作業の作業識別子として前記監視対象情報記憶部に記憶されていると判定された場合、前記作業情報記憶部に記憶される前記一次機器の機器識別子に基づいて、前記一次機器が監視対象の機器である旨の情報を出力する（Ｓ２５０）。
【０１２６】
実施の形態５．
対象機器毎に、対象機器に対する主要作業が実行された際に記録されるログのデータ量を作業者に知らせる形態について説明する。
以下、実施の形態２と異なる事項について主に説明する。説明を省略する事項については実施の形態２と同様である。
【０１２７】
図３９は、実施の形態５における構成／設計情報表示装置１００の機能構成図である。
実施の形態５における構成／設計情報表示装置１００の機能構成について、図３９に基づいて説明する。
【０１２８】
構成／設計情報表示装置１００（ログデータ量出力装置の一例）は、実施の形態２（図２０参照）の更新対象特定部１３０の代わりにログデータ量特定部２５０（ログデータ量取得部の一例）を備え、構成／設計情報表示部１４０の代わりにログデータ量表示部２６０（ログデータ量出力部の一例）を備える。
また、装置記憶部１９０は、工事番号毎に工事番号に対応付けてログ分類項目リスト２９５（ログデータ量記憶部の一例）を予め記憶すると共に、ログデータ量表２９６を予め記憶する。実施の形態２（図２０参照）に示した工事仕様書１９６および重要度情報１９７については図示を省略する。
【０１２９】
ログデータ量特定部２５０は、主要作業情報１２１とログ分類項目リスト２９５とログデータ量表２９６とに基づいて、対象機器毎にログデータ量を特定する。
ログデータ量表示部２６０は、構成／設計情報１９５を用いて対象機器毎にログデータ量を表示する。
ログ分類項目リスト２９５は、ＣＰＵに関する障害の発生有無を示す障害ログ、またはメモリに関する障害の発生有無を示す障害ログなど、ログの種類を表すログ分類項目の一覧を示す。
ログデータ量表２９６は、主要作業とログ分類項目との組み合わせ毎に、主要作業が行われた場合にログ分類項目に関して記録される障害ログのデータ量を示す。
【０１３０】
図４０は、実施の形態５における構成／設計情報表示処理を示すフローチャートである。
実施の形態５における構成／設計情報表示処理の概要について、図４０に基づいて説明する。
【０１３１】
構成／設計情報表示装置１００は、実施の形態２（図２１参照）のＳ１３０およびＳ１４０の代わりに、ログデータ量特定処理（Ｓ２５０）およびログデータ量表示処理（Ｓ２６０）を実行する。
Ｓ２５０において、ログデータ量特定部２５０は、主要作業情報１２１とログ分類項目リスト２９５とログデータ量表２９６とに基づいて、対象機器毎にログデータ量を特定する。
Ｓ２６０において、ログデータ量表示部２６０は、構成／設計情報１９５を用いて対象機器毎にログデータ量を表示する。
以下に、ログデータ量特定処理（Ｓ２５０）およびログデータ量表示処理（Ｓ２６０）について説明する。
【０１３２】
図４１は、実施の形態５におけるログデータ量特定処理（Ｓ２５０）を示すフローチャートである。
実施の形態５におけるログデータ量特定処理（Ｓ２５０）について、図４１に基づいて説明する。
【０１３３】
ログデータ量特定処理（Ｓ２５０）は、Ｓ２５１からＳ２５５の処理で構成される。
【０１３４】
Ｓ２５１において、ログデータ量特定部２５０は、作業者によって入力された工事番号（図３のＳ１１１参照）と同じ番号に対応付けられたログ分類項目リスト２９５を装置記憶部１９０から取得する。
Ｓ２５１の後、処理はＳ２５２に進む。
【０１３５】
Ｓ２５２において、ログデータ量特定部２５０は、Ｓ２５１で取得したログ分類項目リスト２９５から未選択のログ分類項目を選択する。
図４２は、実施の形態５におけるログ分類項目リスト２９５の一例を示す図である。
例えば、ログデータ量特定部２５０は、図４２に示すログ分類項目リスト２９５から未選択のログ分類項目「ＣＰＵ」を取得する。
Ｓ２５２（図４１参照）の後、処理はＳ２５３に進む。
【０１３６】
Ｓ２５３において、ログデータ量特定部２５０は、主要作業情報１２１に含まれる対象機器の機器名毎に、主要作業情報１２１から対象機器に対する主要作業の作業名を取得する。
例えば、ログデータ量特定部２５０は、図１０に示した主要作業情報１２１から対象機器「ホスト３」に対する主要作業の作業名「撤去」を取得し、対象機器「ホスト２」に対する主要作業の作業名「設定変更」を取得する。
Ｓ２５３（図４１参照）の後、処理はＳ２５４に進む。
【０１３７】
Ｓ２５４において、ログデータ量特定部２５０は、主要作業情報１２１が示す対象機器毎にＳ２５３で取得した対象機器の作業名とＳ２５２で選択したログ分類項目と同じ組み合わせに対応付けられたログデータ量をログデータ量表２９６から取得する。
【０１３８】
図４３は、実施の形態５におけるログデータ量表２９６の一例を示す図である。
選択したログ分類項目が「ＣＰＵ」であり、対象機器「ホスト３」に対する主要作業の作業名が「撤去」である場合、ログデータ量特定部２５０は、対象機器「ホスト３」に対するログデータ量として、図４３に示すログデータ量表２９６からログデータ量「１５００」を取得する。ログデータ量「１５００」は１５００行程度の障害ログが記録されることを意味する。
選択したログ分類項目が「ＣＰＵ」であり、対象機器「ホスト２」に対する主要作業の作業名が「設定変更」である場合、ログデータ量特定部２５０は、対象機器「ホスト２」のログデータ量として、図４３に示すログデータ量表２９６からログデータ量「０」を取得する。ログデータ量「０」は基本的にログが記録されないことを意味する。ログデータ量は、例えば、ページ数で表しても構わない。
Ｓ２５４（図４１参照）の後、処理はＳ２５５に進む。
【０１３９】
Ｓ２５５において、ログデータ量特定部２５０は、Ｓ２５２で選択していない未選択のログ分類項目がログ分類項目リスト２９５に残っているか否かを判定する。
未選択のログ分類項目が残っている場合（ＹＥＳ）、処理はＳ２５２に戻る。
未選択のログ分類項目が残っていない場合（ＮＯ）、ログデータ量特定処理（Ｓ２５０）は終了する。
【０１４０】
次に、ログデータ量表示処理（Ｓ２６０）について説明する。
Ｓ２６０において、ログデータ量表示部２６０は、ログ分類項目リスト２９５に含まれるログ分類項目毎に各対象機器に対するログデータ量を示すログデータ量表示画面２６１を生成し、生成したログデータ量表示画面２６１をディスプレイに表示する。
例えば、ログデータ量表示部２６０は、構成／設計情報１９５に含まれる構成情報を用いて構成図を生成する。ログデータ量表示部２６０は、生成した構成図に含まれる対象機器の表記部分にログデータ量を付加する。そして、ログデータ量表示部２６０は、その構成図を含んだログデータ量表示画面２６１を表示する（図４４参照）。
【０１４１】
図４４は、実施の形態５におけるログデータ量表示画面２６１の一例を示す図である。
図４４の（１）はログ分類項目「ＣＰＵ」についてのログデータ量表示画面２６１であり、ホスト３に関する障害ログが１５００行程度であり、ホスト２に関する障害ログが０行であることを示している。
図４４の（２）はログ分類項目「メモリ」についてのログデータ量表示画面２６１であり、ホスト３に関する障害ログが３００行程度であり、ホスト２に関する障害ログが５０行程度であることを示している。
【０１４２】
但し、ログデータ量表示部２６０は、パラメータ情報または関連書類の一覧など、構成情報以外の構成／設計情報１９５を用いて各対象機器に関するログデータ量を示しても構わない。
また、ログデータ量表示部２６０は、構成／設計情報１９５を用いず、各対象機器の機器名およびログデータ量を一覧で表示しても構わない。
【０１４３】
但し、ログデータ量表示部２６０は、各対象機器のログデータ量に関する情報をディスプレイに出力して表示する代わりに、プリンタ、ネットワークまたは記憶装置などに出力しても構わない。
【０１４４】
実施の形態１における構成／設計情報表示装置１００（図１参照）が、更新対象特定部１３０および構成／設計情報表示部１４０の代わりに、ログデータ量特定部２５０およびログデータ量表示部２６０を備えても構わない。
また、実施の形態１から４における構成／設計情報表示装置１００（図１、図２０参照）が、ログデータ量特定部２５０およびログデータ量表示部２６０を追加で備えても構わない。
【０１４５】
実施の形態５により、対象機器毎に、対象機器に対する主要作業が実行された際に記録されるログのデータ量を作業者に知らせることができる。作業者は、工事に伴うログのデータ量を確認することができる。
【０１４６】
実施の形態５において、例えば、以下のような更新予定出力装置（１００）について説明した。括弧内に実施の形態で説明した構成のうち対応する構成の符号または名称を記す。
前記更新予定出力装置は、ログデータ量記憶部（２９５）と、ログデータ量取得部（２５０）と、ログデータ量出力部（２６０）とを備える。
前記ログデータ量記憶部は、複数の機器を備える対象システムに対する作業毎に、当該作業を識別する作業識別子と、当該作業に伴って記録される作業ログのログデータ量と、を対応付けて記憶する。
前記ログデータ量取得部は、前記ログデータ量記憶部から、前記作業情報記憶部に記憶される前記一次作業の作業識別子と同じ作業識別子に対応付けられたログデータ量を取得する（Ｓ２５３、Ｓ２５４）。
前記ログデータ量出力部は、前記作業情報記憶部に記憶される前記一次機器の機器識別子に基づいて、前記ログデータ量取得部によって取得されたログデータ量に相当する量の作業ログが前記一次機器に関する作業ログとして記録される旨の情報を出力する（Ｓ２６０）。
【０１４７】
実施の形態５において、例えば、以下のようなログデータ量出力装置（１００）について説明した。括弧内に実施の形態で説明した構成のうち対応する構成の符号または名称を記す。
前記ログデータ量出力装置は、ログデータ量記憶部（Ｓ２９５）と、作業情報記憶部（１２１）と、ログデータ量取得部（２５０）と、ログデータ量出力部（２６０）とを備える。
前記ログデータ量記憶部は、複数の機器を備える対象システムに対する作業毎に、当該作業を識別する作業識別子と、当該作業に伴って記録される作業ログのログデータ量と、を対応付けて記憶する。
前記作業情報記憶部は、前記対象システムに対する工事で行われる一つの作業である一次作業を識別する作業識別子と、前記複数の機器のうち前記一次作業の作業対象となる一次機器を識別する機器識別子と、を記憶する。
前記ログデータ量取得部は、前記ログデータ量記憶部から、前記作業情報記憶部に記憶される前記一次作業の作業識別子と同じ作業識別子に対応付けられたログデータ量を取得する（Ｓ２５３、Ｓ２５４）。
前記ログデータ量出力部は、前記作業情報記憶部に記憶される前記一次機器の機器識別子に基づいて、前記ログデータ量取得部によって取得されたログデータ量に相当する量の作業ログが前記一次機器に関する作業ログとして記録される旨の情報を出力する（Ｓ２６０）。
【０１４８】
各実施の形態は、矛盾が生じない範囲で、全部または一部を適宜に組み合わせても構わない。
【符号の説明】
【０１４９】
１００  構成／設計情報表示装置、１１０  工事範囲情報生成部、１１１  工事範囲情報、１２０  主要作業情報生成部、１２１  主要作業情報、１３０  更新対象特定部、１４０  構成／設計情報表示部、１４１  構成／設計情報表示画面、１５０  作業パターン生成部、１９０  装置記憶部、１９１  工事区分表、１９２  工事詳細手順書、１９３  作業パターン表、１９４  更新対象表、１９５  構成／設計情報、１９６  工事仕様書、１９７  重要度情報、２１０  工事パターン生成部、２１１  工事パターン情報、２２０  更新予定表示部、２２１  更新予定表示画面、２３０  監視対象特定部、２４０  監視対象表示部、２４１  監視対象表示画面、２５０  ログデータ量特定部、２６０  ログデータ量表示部、２６１  ログデータ量表示画面、２９１  機器名一覧表、２９２  機器接続情報、２９３  障害監視項目リスト、２９４  障害発生率表、２９５  ログ分類項目リスト、２９６  ログデータ量表、９０１  ＣＰＵ、９０２  バス、９０３  ＲＯＭ、９０４  ＲＡＭ、９０５  通信ボード、９１１  ディスプレイ、９１２  キーボード、９１３  マウス、９１４  ドライブ、９２０  磁気ディスク装置、９２１  ＯＳ、９２２  プログラム群、９２３  ファイル群。
【図１】
2014106838.tif 000003
【図２】
2014106838.tif 000004
【図３】
2014106838.tif 000005
【図４】
2014106838.tif 000006
【図５】
2014106838.tif 000007
【図６】
2014106838.tif 000008
【図７】
2014106838.tif 000009
【図８】
2014106838.tif 000010
【図９】
2014106838.tif 000011
【図１０】
2014106838.tif 000012
【図１１】
2014106838.tif 000013
【図１２】
2014106838.tif 000014
【図１３】
2014106838.tif 000015
【図１４】
2014106838.tif 000016
【図１５】
2014106838.tif 000017
【図１６】
2014106838.tif 000018
【図１７】
2014106838.tif 000019
【図１８】
2014106838.tif 000020
【図１９】
2014106838.tif 000021
【図２０】
2014106838.tif 000022
【図２１】
2014106838.tif 000023
【図２２】
2014106838.tif 000024
【図２３】
2014106838.tif 000025
【図２４】
2014106838.tif 000026
【図２５】
2014106838.tif 000027
【図２６】
2014106838.tif 000028
【図２７】
2014106838.tif 000029
【図２８】
2014106838.tif 000030
【図２９】
2014106838.tif 000031
【図３０】
2014106838.tif 000032
【図３１】
2014106838.tif 000033
【図３２】
2014106838.tif 000034
【図３３】
2014106838.tif 000035
【図３４】
2014106838.tif 000036
【図３５】
2014106838.tif 000037
【図３６】
2014106838.tif 000038
【図３７】
2014106838.tif 000039
【図３８】
2014106838.tif 000040
【図３９】
2014106838.tif 000041
【図４０】
2014106838.tif 000042
【図４１】
2014106838.tif 000043
【図４２】
2014106838.tif 000044
【図４３】
2014106838.tif 000045
【図４４】
2014106838.tif 000046